(57)【要約】【課題】  全体の大きさや重量増を抑えて容器を常にがたつたきなく保持したり、容器挿入や引き抜き時に不要な負荷を受けないようにする。【解決手段】ケース１と、ケース１に対し前後方向へ摺動して引出位置と格納位置に切り換えられるスライダー２と、スライダー２に対し回動可能に取り付けられて、載置部２５の上下方向に配置される非使用位置と載置部上から外へはみ出して略水平に展開される使用位置に切り換えられるホルダー３とを備え、容器等を、ホルダー３の内側に挿入し載置部２５で受けるカップホルダーにおいて、ホルダー３は、軸部６を介してホルダー内側へ回動可能に取り付けられている押さえ片４、及び操作部材５を有し、押さえ片４が操作部材５の操作により軸部６を支点としてホルダー内側にあって任意の角度に回動される。【選択図】        図５
2006076352.tif 000002
【特許請求の範囲】
【請求項１】
ケースと、載置部を有して、前記ケースに対し前後方向へ摺動して引出位置と格納位置に切り換えられるスライダーと、前記スライダーに対し回動可能に取り付けられて、前記載置部の上下方向に配置される非使用位置と載置部上から外へはみ出して略水平に展開される使用位置に切り換えられる周囲拘束用のホルダーとを備え、容器等を、使用位置に切り換えられた前記ホルダーの内側に上から挿入し前記載置部で受けるカップホルダーにおいて、
前記ホルダーは、基端側の軸部を介してホルダー内側へ回動可能に付設されている押さえ片、及び該押さえ片を回動する操作部材を有し、前記押さえ片が前記操作部材の操作により前記軸部を支点としてホルダー内側にあって任意の角度に回動されることを特徴とするカップホルダー。
【請求項２】
前記押さえ片は、前記ホルダーに設けられた収容部に配置可能になっていると共に、付勢部材により前記収容部側へ常に付勢されていることを特徴とする請求項１に記載のカップホルダー。
【請求項３】
前記押さえ片は、片長手方向に沿ってかつ略等間隔に設けられた複数の凹部を有し、前記操作部材の対応部が前記凹部と係脱自在に嵌合することを特徴とする請求項１又は２に記載のカップホルダー。 
【請求項４】
前記スライダーは、回動可能に取り付けられて、前記格納位置で前記載置部上に起立され、前記引出位置に摺動されるときに連動して前記載置部上に倒れて載置部外側に張り出す下展開部材を有していることを特徴とする請求項１から３の何れかに記載のカップホルダー。
【発明の詳細な説明】
【技術分野】
【０００１】
本発明は、自動車，電車，船舶等の室内に装備されるカップホルダーのうち、特にケースに対して前後方向へ摺動される引出式のカップホルダーに関するものである。
【背景技術】
【０００２】
引出式のカップホルダーは、自動車等の室内壁に埋込式に設置されて、乗員が必要時に引き出して容器等を挿入保持するもので、不使用時に格納されるため室内空間の有効活用や外観的に優れている。具体的には、例えば、特開２００２−１５４３６６号等に示されているように、ケースと、載置部を有して、ケースに対して前後方向へ摺動して引出位置と格納位置に切り換えられるスライダーと、スライダーに対して回動可能に取り付けられて、載置部の上下方向に配置される非使用位置と載置部上から外へはみ出して略水平に展開される使用位置に切り換えられる周囲拘束用のホルダーとを備えている。そして、容器を、使用位置に切り換えられたホルダーの内側に上から挿入し前記載置部で受ける構成である。
【０００３】
以上のようなホルダーは、容器を上から挿入して容器の周囲を拘束するものであり、設計上は想定される容器のうち、最も大きな容器外径に対応して形成され、各種の容器に兼用できるよう処理される。このため、使用時には、容器外径が小さくなるほど、ホルダー内でがたつき易くなる。なお、そのような従来対策としては、タイプが異なるが、例えば、特許文献１や２に開示されているものがある。特許文献１の構造は、ホルダーがインナ及びアウタの二重に構成され、アウタには内周面に複数の突起が設けられる一方、インナには揺動可能な複数のフラップ及びカムが設けられている。そして、容器外径が小さいときは、インナをアウタに対して回転すると、前記フラップが前記突起に接触されるカムを介して内径へ大きく突出して容器周囲をがたつきなく保持可能となる。特許文献２の構造はホルダーに取り付けられた弾性部材からなる。この弾性部材は、取付側の板ばね及び容器に当接する当接部材にて構成されており、当接部材がホルダーの内側に突出し、ホルダーの内面と当接部材との間に挿入される容器の外径寸法がホルダーの内面と当接部材との間の間隔寸法よりも大きい場合に、前記板ばねを撓わませて下方へ傾いて逃げる構成である。
【０００４】
【特許文献１】特開平１０−１２９３２７号公報
【特許文献２】特開平９−１６９２３５号公報
【発明の開示】
【発明が解決しようとする課題】
【０００５】
上記した各構造は、周囲拘束用のホルダーがスライダーに対して回動可能に取り付けられて、載置部の上下方向に配置される非使用位置と載置部上から外へはみ出して略水平に展開される使用位置とに切り換えられるタイプだと、次のような点から採用し難い。すなわち、特許文献１の構造では、仮にホルダーに適用できたとしても、例えば、全体が重くかつ大きくなる。特許文献２の構造では、例えば、弾性部材が容器外径に比例して下方へ撓む関係で、容器挿入や引き抜き時の負荷が容器の外径により異なると共に、外径の大きな容器になると負荷も増大して使い勝手を良好に維持し難い。そこで、本発明の目的は、上述したような課題を簡易な構成により解消することにある。
【課題を解決するための手段】
【０００６】
上記目的を達成するため本発明は、ケースと、載置部を有して、前記ケースに対し前後方向へ摺動して引出位置と格納位置に切り換えられるスライダーと、前記スライダーに対し回動可能に取り付けられて、前記載置部の上下方向に配置される非使用位置と載置部上から外へはみ出して略水平に展開される使用位置に切り換えられる周囲拘束用のホルダーとを備え、容器等を、使用位置に切り換えられた前記ホルダーの内側に上から挿入し前記載置部で受けるカップホルダーにおいて、前記ホルダーは、基端側の軸部を介してホルダー内側へ回動可能に付設されている押さえ片、及び該押さえ片を回動する操作部材を有し、前記押さえ片が前記操作部材の操作により前記軸部を支点としてホルダー内側にあって任意の角度に回動されることを特徴としている。
【０００７】
以上のカップホルダーにおいて、使用者は、例えば、保持対象の容器外径に応じ操作部材を操作して押さえ片の回動角度を調整すると、ホルダー内面又はそれに相当する内面と押さえ片との間の間隔が当該容器に合致した最適な寸法となる。工夫点は、特に、スライダーが引出式でかつホルダーが反転式（載置部の上下方向に配置される非使用位置と載置部上から外へはみ出して略水平に展開される使用位置に回動切り換えられるタイプ）でも、回動式の押さえ片及び操作部材をホルダー側へ付設するだけで、全体の大きさや重量増を抑えて、又、容器挿入や引き抜き時に不要な負荷を受けないよう、実施可能にしたことにある。
【０００８】
以上の構造において、前記押さえ片は前記ホルダーに設けられた収容部に配置可能になっていると共に、付勢部材により前記収容部側へ常に付勢されていること（請求項２）、前記押さえ片は片長手方向に沿ってかつ略等間隔に設けられた複数の凹部を有し、前記操作部材の対応部が前記凹部と係脱自在に嵌合すること（請求項３）、前記スライダーは回動可能に取り付けられて、前記格納位置で前記載置部上に起立され、前記引出位置に摺動されるときに連動して前記載置部上に倒れて載置部外側に張り出す下展開部材を有していること（請求項４）が好ましい。
【発明の効果】
【０００９】
以上の本発明は次のような効果を有している。
・請求項１の発明では、簡易な構成により、小型軽量を極力維持しながら、容器外径が異なっても押さえ片の回動角度を操作部材で調整することで、常に容器を安定保持でき、しかも容器挿入や引き出し時に負荷を受けないようにして使い勝手を向上する。
・請求項２の発明では、押さえ片がホルダーの収容部に配置されることで外観特性を維持でき、又、押さえ片が付勢部材により付勢されることで不使用時の遊びを吸収したり、操作部材を初期位置に摺動したときに押さえ片も自動的に収容部に配置されるようにして使い勝手を向上する。
・請求項３の発明では、押さえ片が操作部材を介して調整されるとき、操作部材の対応部が押さえ片側の複数の凹部に順に嵌合−嵌合解除してクリック感を得られるようにしたり、押さえ片が調整後に不用意に回動されないようにする。
・請求項４の発明では、スライダーや載置部の幅を小さくしても、下展開部材により載置部の面積を拡大できるため、保持特性を向上して、例えば、容器以外にも携帯電話等の携帯機器類も安定載置できる。
【発明を実施するための最良の形態】
【００１０】
本発明の形態例について図面を参考しながら説明する。図１〜図６のカップホルダーは基本形態を示し、図４中、符号Ｃの箇所と、図７及び図８に二つの変形例を示している。以下の説明では、構造、要部作動、変形例の順で詳述する。
【００１１】
（構造）図１〜図６のカップホルダーは、同じ構成の二組からなり、設置部に取り付けられる各ケース１と、各ケース１に対し前後方向へ摺動して格納位置と引出位置とにそれぞれ切り換えられるスライダー２と、スライダー２に設けられて容器Ｓ1，Ｓ2の底面を受け止める載置部２５と、スライダー２に取り付けられている反転式の周囲拘束用のホルダー３と、ホルダー３に対し軸部６を介してホルダー内側へ回動可能に取り付けられている押さえ片４（又は４Ａ）と、ホルダー３に対して摺動可能に組み付けられている操作部材５とを備えている。なお、この例では、対のカップホルダーが左右に配置される例であるが、単一構成であってもよい。また、このカップホルダーは、自動車の前席前方に位置するインストルメントパネルに設置する設計であるが、例えば、室内壁や各種のコンソール等に設置することも可能である。
【００１２】
各ケース１は、本体１０が前開口した中空容器であり、高さよりも左右幅を小さく、縦長の略長方体となっている。本体の前側はフランジ部１１で縁取りされている。本体１０の内部にはスライダー２の摺動を案内する複数のガイド溝が設けられている。この例では、前後方向に延びる上ガイド溝１２及び下ガイド溝１３が左右に対向して設けられていると共に、下面にあって左右中間位置にも前後方向に延びるガイド溝１４が設けられている。そして、このケース１は、図２に示されるように、パネルＰに対し本体１０を埋設しかつフランジ部１１を当接した状態に設置される。
【００１３】
スライダー２は、ケース１に対し前後方向へ摺動可能に組み付けられて、前方へ摺動した引出位置と後方へ摺動した格納位置とに切り換えられる。なお、図面上は簡略化しているが、実際にはスライダー２がケース１に対し手動にて前後方向に所定距離だけ摺動される構成以外に、付勢手段及び係止手段を有して、スライダー２が格納位置で係止手段を介して付勢手段の付勢力に抗して係止され、前記係止を解除すると、付勢手段の付勢力により自動的に引出位置に摺動切り換えられるよう構成される（特開２００１−３１０６７４号等を参照）こともある。
【００１４】
また、スライダー２は、概略断面エ字形をなし、縦壁２０と、縦壁２０の上側に位置して両側に張り出して前記上ガイド溝１２に嵌合する上突出部２１と、縦壁２０の下側に位置して両側に張り出して前記下ガイド溝１３に嵌合する下突出部２２と、縦壁２０及び上下突出部２１，２２の前端面を覆っている化粧板２３と、下面から突出されて前記ガイド溝１４に嵌合する突出部２４と、前後中間より少し前側に設けられた載置部２５と、載置部２５に対応して設けられてホルダー３を回動可能に支持する前・後保持部２６，２７とを有している。このうち、載置部２５は、上突出部２１を形成している上板から縦壁２０の対応部を半円柱状に切り欠し、下突出部２２を形成している下板を露出した構成である。符号２１ａは上突出部２１を形成している上板を切り欠した部分、符号２０ａは縦壁２０に切り欠した部分である。前・後保持部２６，２７は、図３（ａ）に示されるように、部分２０ａの前後に対向して設けられている。前保持部２６は、載置部２５の前側から立ち上がった面に対しテーパー面を介し更に前側に逃げている部分である。後保持部２７は、載置部２５の後側から立ち上がった面に対しテーパー面を介し更に後側に位置し、かつ、上突出部２１を形成している上板との間に略水平の空間部として形成されている。
【００１５】
以上のスライダー２には、ホルダー３が枢軸２８，２９などを介して回動可能に取り付けられている。このホルダー３は、支持軸部３０及び支持軸部３０の先端側に連結されている円弧部３１からなる。支持軸部３０は、後保持部２７の空間部に反転可能に配置される。円弧部３１は、部分２１ａとほぼ同様な円弧状をなし、ホルダー使用位置で、部分２１ａと共に概略真円の周囲保持枠を形成する。また、円弧部３１には、小円弧状のスリット３２が前後部を除いた箇所に設けられ、押さえ片４が該スリット３２内に収容可能かつ径方向に回動可能に配置され、又、操作部材５が押さえ片４を回動操作可能に付設されている。
【００１６】
ここで、スリット３２は、図３に示されるように、ホルダー使用位置で円弧部３１の肉厚中間部を水平方向に貫通しており、内側が幅広の溝部３２ａで、外側が幅細の溝部３２ｂとなっている。また、円弧部３１の後端側には、図４に示されるように、取付孔３３が支持軸部３０を軸方向に貫通した状態に設けられている。円弧部３１の前端側には、取付孔３４が取付孔３３と同軸線上で対応部を前後に貫通した状態に設けられている。また、円弧部３１の前端側には、軸孔３５が取付孔３４よりもスリット３２側に位置し、かつホルダー使用位置で上下に貫通形成されている。
【００１７】
そして、以上のホルダー３は、支持軸部３０が後保持部２７の後内端面に対し軸部２９を介して回動可能に軸支され、円弧部３１の先端側が前保持部２６の前内端面に対し軸部２８を介して回動可能に軸支されている。このため、ホルダー３は、後側の軸部２９及び前側の軸部２８を支点として載置部２５の上下方向に配置される非使用位置と、載置部２５上から外へはみ出して略水平に展開される使用位置とに切り換えられる。なお、ホルダー３の枢支構造は、この例を参考にして適宜に変更可能なものである。
【００１８】
前記押さえ片４は、溝部３２ａに収まる本体部４ａ及び本体部４ａの背面に突出されて溝部３２ｂに収まる薄肉状押部分４ｂを一体に形成しており、全体がスリット３２内に収容可能となっている。また、前端は筒形のボス部４ｃに形成されている。そして、以上の押さえ片４は、図４に示されるように、ホルダー側円弧部３１の内側からスリット３２内に配置された状態で、軸部６を軸孔３５の上側、ボス部４ｂの孔、軸孔３５の下側に挿通した後、止め輪６ａ等により抜け止めされることにより回動可能に取り付けられる。この場合、軸部６にはコイル形のスプリング７が軸装される。スプリング７は、一端が円弧部３１の対応部に係止され、他端が付勢力を発現しながら押さえ片４の対応部に係止されることで、押さえ片４をスリット３２内に収容される方向へ付勢している。
【００１９】
これに対し、操作部材５は、溝部３２ｂに摺動自在に嵌合する中間部５ａと、中間部５ａの両側に張り出して溝部３２ｂの内外面を両側より挟み込む内壁５ｂ及び外壁５ｃと、内壁５ｂの前側をボス状に形成した当接部５ｄとからなり、円弧部３１に対し例えば溝部３２ｂを弾性的に押し広げた状態にして、内壁５ｂを溝部３２ｂから溝部３２ａに挿通させることで溝部３２ｂに沿って摺動自在に組み込まれる。そして、この操作部材５は、支持軸部３０側へ摺動位置した状態において、押さえ片４がスリット３２内に完全に収容可能となる。また、図５に示されるように支持軸部３０側から軸部６側へ摺動するとき、当接部５ｄで押部分４ｂを押圧し、該押圧力により押さえ片４が軸部６を支点として内側へ回動される。
【００２０】
（作動）以上のカップホルダーでは、スライダー２がケース１から引き出された引出位置において、ホルダー３及び押さえ片４が図６に示されるような態様に切り換えられる。
ア）図６（ａ）はホルダー３が載置部２５の上下方向に配置されている非使用位置を示している。ホルダー３は、スライダー２を引出位置から格納位置に切り換えるとき、図６（ｂ）の使用位置から円弧部３１を下向きに押圧することで非使用位置に切り換えられる。逆に、ホルダー３は、スライダー２を引出位置から格納位置に摺動切り換えるとき、図６（ａ）の非使用位置から円弧部３１を上向きに押圧することで、後側軸部２９及び前側軸部２８を支点として載置部２５上から外へはみ出して略水平に展開される使用位置に切り換えられる。図１及び図２の容器Ｓ1は、そのホルダー３の使用位置において、部分２１ａと円弧部３１とで区画された概略真円内に挿入され、載置部２５に受け止められている。
【００２１】
イ）図６（ｃ）はホルダーの使用位置において、押さえ片４を円弧部３１の内側へ回動した状態を示している。つまり、この押さえ片４は、図６（ｂ）に示されるようにスリット３２内に収まっている収容状態から、操作部材５の摺動操作により、スプリング７の付勢力に抗し、軸部６を支点としてホルダー内側にあって、該操作部材５の摺動量とほぼ比例した角度に回動される。つまり、押さえ片４は、操作部材５を軸部６側へ摺動するほど先端（自由端）側がスリット３２から離れる内方向へ回動され、部分２１ａとの間の容器保持空間ないしは容器挿入空間を狭める。図１及び図２の容器Ｓ2は、押さえ片４をホルダー内側へ最大まで回動した状態で、押さえ片４と部分２１ａとの間の容器保持ないしは容器挿入空間に挿入され、載置部２５に受け止められている。このため、この構造では、押さえ片４を容器外径に応じて回動しておくことにより、当該容器をがたつきなく、かつ従来のような負荷を受けることなく差し込んだり引き抜くことができる。
【００２２】
（変形例１）図４中、符号Ｃの箇所には前記押さえ片を変更した例を示している。この押さえ片４Ａは、溝部３２ａに収まる本体部４ａと、本体部４ａの背面に突出されて溝部３２ｂに収まる薄肉状押部分４ｂと、押部分４ｂの長手方向に沿ってかつ略等間隔に設けられた複数の凹部４ｄを有している。各凹部４ｄは、操作部材５の当接部５ｄが係脱自在に嵌合するよう形成されており、押さえ片４が操作部材５を介して角度調整されるとき、操作部材５の当接部５ｄが複数の凹部４ｄに順に嵌合−嵌合解除してクリック感を付与したり、押さえ片４が調整後に不用意に回動されないよう簡単に規制可能にする。
【００２３】
（変形例２）図７及び図８は載置部を拡大する下展開部材を付設した一例を示している。この説明では、上記形態と同じ部材及び部位に同じ符号を付して、変更点だけを詳述する。このカップホルダーにおいて、スライダー２は、載置部２５の真上が上突出部２１を形成している上板から縦壁２０の対応部を矩形柱状に切り欠し、下突出部２２を形成している下板を露出した構成である。符号２１ｂは、その上突出部２１を形成している上板から縦壁２０を切り欠した部分である。そして、載置部２５の奥側には、下展開部材８が下両側の軸８ａを介して回動可能に取り付けられている。下展開部材８は、軸８ａを支点として部分２１ｂに沿って配置される起立位置と、載置部２５上に転倒される展開位置とに揺動部材９を介して自動的に回動切り換えられる。
【００２４】
すなわち、揺動部材９は、先端上面にカム部９ｂを有し、図８に示されるように、縦壁２０の下面から上向きに設けられた空洞部に配置され、かつ、上下略中間が軸９ａで枢支されている。そして、下展開部材８は、スライダー２が図８（ｂ）に示すようにケース１内にある程度入れられると、先端側がケース１内の対応する当接面１５から上向きの負荷を受け、軸９ａを支点として反時計回りに回動される。すると、カム部９ｂは、載置部２５の対応する孔から大きく突出して、下展開部材８の対応部に設けられた突起８ｂに当たりながら下展開部材８を起立方向に強制的に回動させる。図７（ａ）、図８（ｂ）及び（ｃ）は下展開部材８がそのようにして起立された状態を示している。また、下展開部材８は、スライダー２が図８（ａ）に示すようにケース１内からある程度引き出されると、先端側がケース側当接面１５より低くなっている逃げ面１６に達したときに、軸９ａを支点として時計回りに回動される。すると、カム部９ｂは、載置部２５の対応する孔から退避して、下展開部材８から離れる。その結果、下展開部材８は図７（ｂ）、図８（ａ）に示されるように載置部２５上に倒れて転倒状態となる。転倒状態では、載置部２５上に倒れた下展開部材８が載置部として機能し、実質的に面積を拡大した状態となる。このため、この構造では、スライダー２や載置部２５の幅を小さくしても、下展開部材８により載置部２５の面積を拡大できるため、保持特性を向上できるようにする。
【００２５】
以上の形態及び変形例は本発明を何ら制約するものではない。本発明は、請求項１の要件を除いて種々変形可能なものである。その一例としては、本発明のホルダーは特開２００２−１５４３６６号等に示されているような対の枠半体で構成されるタイプでも差し支えない。
【図面の簡単な説明】
【００２６】
【図１】本発明形態のカップホルダーを模式的に示す概略分解図である。
【図２】図１のカップホルダーをスライダーの引出位置で上と正面から見た図である。
【図３】（ａ）と（ｂ）は図２のＡ−Ａ線とＢ−Ｂ線で断面した断面図である。
【図４】上記ホルダーと押さえ片及び操作部材を変形例と共に示す図である。
【図５】上記押さえ片の取付構造を示す断面図である。。
【図６】（ａ）と（ｂ）はホルダーの非使用位置と使用位置の状態で示し、（ｃ）はホルダーの使用位置で押さえ片を回動操作した状態で示す作動図である。
【図７】（ａ）と（ｂ）は上記形態の変形例を図６（ａ）と（ｂ）に対応させて示す図である。
【図８】（ａ）〜（ｃ）は下展開部材の構造を作動と共に示す模式図である。
【符号の説明】
【００２７】
１…ケース（１０は本体、１１はフランジ部、１２〜１４はガイド溝）
２…スライダー（２０は縦壁、２１は上突出部、２２は下突出部）
３…ホルダー（３０は支持軸部、３１は円弧部）
４…押さえ片（４ａは本体部，４ｂは押部分、４ｄは凹部）
５…操作部材（５ａは中間部、５ｂは内壁、５ｃは外壁、５ｄは当接部）
６…軸部（６ａは止め輪）
７…スプリング（付勢部材）
８…下展開部材（８ａは軸）
９…揺動部材
Ｓ1，Ｓ2…容器
【図１】
2006076352.tif 000003
【図２】
2006076352.tif 000004
【図３】
2006076352.tif 000005
【図４】
2006076352.tif 000006
【図５】
2006076352.tif 000007
【図６】
2006076352.tif 000008
【図７】
2006076352.tif 000009
【図８】
2006076352.tif 000010